(57)【要約】【課題】  撹拌力と脱泡力とを高め、収容量を増加できるようにした改良された遊星運動式撹拌脱泡装置に使用される容器を提供する。【解決手段】  遊星運動式撹拌脱泡装置に使用されるねじ蓋及び中蓋付きの容器であって、前記容器の中蓋の中央に小孔を穿設してなり、前記遊星運動式撹拌脱泡装置の運転中に、前記中蓋を前記容器の上部に密着させることにより、前記容器に収容した前記物質が前記容器の公転外周側の内側壁に附着しながら上昇し容器から溢出するのを防止すると共に、前記中蓋の小孔を通して前記物質が脱泡できるようにしたもの。【選択図】    図３
2006326467.tif 000002
【特許請求の範囲】
【請求項１】
２種類又は２種類以上の物質を収容した容器を、あたかも宇宙の遊星のように、公転させると共に自転させる運動を与えることにより、撹拌して前記物質を均一混合すると共に、脱泡できるように遊星運動式撹拌脱泡装置に使用されるねじ蓋及び中蓋付きの容器であって、前記容器の中蓋の中央に小孔を穿設してなり、前記遊星運動式撹拌脱泡装置の運転中に、前記中蓋を前記容器の上部に密着させることにより、前記容器に収容した前記物質が前記容器の公転外周側の内側壁に附着しながら上昇し容器から溢出するのを防止すると共に、前記中蓋の小孔を通して前記物質が脱泡できるようにしたことを特徴とする遊星運動式撹拌脱泡装置に使用される容器。
【発明の詳細な説明】
【技術分野】
【０００１】
本発明は、２種類又は２種類以上の物質を収容した容器を、あたかも宇宙の遊星のように、公転させると共に自転させる運動を与えることにより、撹拌して前記物質を均一混合すると共に、脱泡できるようにした遊星運動式撹拌脱泡装置（遊星運動式真空撹拌脱泡装置を含む。以下同じ。）に使用される容器に関する。
【背景技術】
【０００２】
従来、容器に自転と公転の遊星運動を与える撹拌脱泡装置は、特許第２７１１９６４号公報（特開平６−７１１１０号公報）、特許第３２１３７３５号公報（特開平７−２８９８７３号公報）などに示されるように、数多くの装置が市販されている。これらの装置は、回転アーム上に容器及び容器ホルダーをのせて自転しながら公転できるようにしているが、これらの回転アームは、いずれも自転させる容器又は容器ホルダーを回転アームの水平アーム部分に対し約３０°傾斜させた傾斜アーム部分上に設置されている。
その理由は、図６に示すように、容器２に収容された物質１は、自転と共に公転する運動が与えられるため、遠心力により、容器２の公転外周側の内側壁３に附着して上昇し、容器２から溢出することを防止するためである。また、気泡４の脱泡のため、容器２が公転及び自転の運動中は容器２を密封する中蓋は使用されない。
しかしながら、遊星運動式撹拌脱泡装置の回転アームに傾斜アームを附加することは次のような欠点を生ずる。
（１）傾斜アームを附加するため、構造が複雑になり製作費が高価につく、（２）傾斜アーム上の容器又は容器ホルダーを自転させる自転装置が複雑になる、（３）運転中容器が傾斜しているので、容器から物質の溢出を考慮すると、容器の内容量の約８０％以下しか物質を収容できない、特に粘度の低い物質では７０％以下しか収容できない。
そこで、本発明者は、ねじ蓋と、蓋の中央に小孔を穿設した中蓋とを備えた容器に、２種類又は２種類以上の物質を収容し、中蓋を密着した後にねじ蓋を緩くねじしめして、容器の自転と公転とを行った場合、前記物質は容器の公転の外周上の内側壁に沿って上昇するが、中蓋の下面で下方に流され、撹拌力が大きくなると共に、脱泡力も向上して、気泡は中蓋の小孔からねじ蓋のねじ山と容器側のねじ山との間を通って外部に放出することを見出し本発明を完成した。
【特許文献１】特開平６−７１１１０号公報
【特許文献２】特開平７−２８９８７３号公報
【非特許文献１】日本接着学会  季刊誌  接着の技術誌Ｖｏｌ．１９Ｎｏ．４（２０００）  特集：接着関連機器ＰａｒｔＩＩ  ６．  脱泡型撹拌装置  第３４頁〜第３７頁
【発明の開示】
【発明が解決しようとする課題】
【０００３】
本発明は、撹拌力と脱泡力とを高め、収容量を増加できるようにした改良された遊星運動式撹拌脱泡装置に使用される容器を提供するものである。
また、本発明は、安価で量産可能な改良された遊星運動式撹拌脱泡装置に使用される容器を提供するものである。
さらに、本発明は、傾斜アームを設けない遊星運動式撹拌脱泡装置の回転アームの製作を実用化できるようにした、改良された遊星運動式撹拌脱泡装置に使用される容器を提供するものである。
【課題を解決するための手段】
【０００４】
本発明遊星運動式撹拌脱泡装置に使用される容器は、上記課題を達成するため、図示するように、２種類又は２種類以上の物質を収容した容器を、あたかも宇宙の遊星のように、公転させると共に自転させる運動を与えることにより、撹拌して前記物質を均一混合すると共に、脱泡できるように遊星運動式撹拌脱泡装置に使用されるねじ蓋及び中蓋付きの容器であって、前記容器の中蓋の中央に小孔を穿設してなり、前記遊星運動式撹拌脱泡装置の運転中に、前記中蓋を前記容器の上部に密着させることにより、前記容器に収容した前記物質が前記容器の公転外周側の内側壁に附着しながら上昇し容器から溢出するのを防止すると共に、前記中蓋の小孔を通して前記物質が脱泡できるようにしたものである。
本発明において、遊星運動式撹拌脱泡装置は、前述した特開平６−７１１１０号公報、特開平７−２８９８７３号公報等に示される大気圧下において容器に自転と公転を与える装置のほか、特開２００４−７４１３０号公報、ホームページ（http://www.kurabo.co.jp/el/kk/kkv_0.1.html）に掲載された真空装置付遊星式・脱泡装置ＫＫ−Ｖ３００、特願２００５−１１２８５９号、特願２００５−１１２８６０号の真空雰囲気中において容器に、自転と公転を与える遊星運動式真空撹拌脱泡装置も含まれる。
【発明の効果】
【０００５】
本発明容器は、極めて簡単な構造で、安価に製作できる上に、撹拌力と脱泡力を大きく向上させると共に、容器の被撹拌脱泡物質の収容量を増大させることができる。
また、本発明容器を使用すれば、遊星運動式撹拌脱泡装置の回転アームの傾斜アーム部分が不用となり、容器の自転装置が簡略化される。
さらに、容器に収容した物質の溢出の恐れが全く無くなるので、容器の公転回転数（従来装置約１５００ｒ．ｐ．ｍ．）及び自転回転数（従来装置は公転回転数の約１／３）を更に高めることができ、容器が収容する物質の種類によっては、真空圧チャンバーを備えた遊星運動式撹拌脱泡装置を使用する必要性がなくなる利点もできた。
【発明を実施するための最良の形態】
【０００６】
本発明容器は、遊星運動式撹拌脱泡装置の回転アームの容器自転装置に取りつけられた容器ホルダーに嵌合又は係合して自転できるように形成されていること、容器は、ねじ蓋及び中蓋とを備え、中蓋は容器の上部に内嵌して密着できるように形成されていること、中蓋には中央部に小孔が設けられていることである。
【実施例１】
【０００７】
本発明装置の実施例１が図１乃至図５に示されている。本発明容器は、容器１００の上縁１０１外側の側壁１０２に形成したねじ山１０３に螺合するねじ山１１１を内側の側壁１１２に形成した外蓋（以下、ねじ蓋という。）１１０と、容器１００の上縁１０１から容器の内側の側壁１０４にかけて内嵌できるようにした中蓋１２０からなる。中蓋１２０には中央部に小孔１２１を設けている。なお、小孔１２１は複数個設けてもよい。本発明容器１０を遊星運動式撹拌・脱泡装置Ａに使用した場合について述べる。
遊星運動式撹拌・脱泡装置Ａは、特願２００５−２６６１４号に記載されたもので、次のものからなっている。すなわち、図５に示すように、電動機（以下、公転用電動機という。）１０により回転する傾斜回転フレーム２０と、前記傾斜回転フレーム２０にそれぞれ設けられた、電動機（以下、自転用電動機という。）３０、各自転用電動機３０により駆動回転される容器ホルダー６０及び各容器ホルダー６０に着脱可能に嵌着乃至係着される容器１００と、傾斜回転フレーム軸２０１に設けられたスリップリング装置４０であって自転用電動機３０に給電できるようにしたものと、各スリップリング４１に電気接触をするカーボンブラシ５１を有するブラシ装置５０であって外部電源から給電を受けるものとからなり、前記容器１００及び前記容器ホルダー６０に公転運動と自転運動とを与えて、前記容器１００に充填した被撹拌脱泡物質を撹拌脱泡できるようにした遊星運動式撹拌・脱泡装置である。
公転用電動機１０は、通常、１５００ｒ．ｐ．ｍ．以下で回転され、自転用電動機３０は、通常、公転用電動機の回転数の約１／３で回転され、容器１００は中蓋がないとき、１００Ｐａ・ｓ程度の粘性物質の場合は、図６に示すような被撹拌物質の動きが行われるが、粘性が低くなったり、公転及び自転の回転数が高くなると被撹拌物質は容器から溢出することになる。
従って、粘性が低い被撹拌物質や公転回転数及び自転回転数を上げたい被撹拌物質のときは、容器に入れる被撹拌物質の充填量を少なくしなければならない。
本発明容器を使用すると、容器１００には、小孔１２１を中央に設けた中蓋１２０が密着できるようになっており、容器１００から溢出することが予想される場合でも、中蓋１２０下面によって阻止されて容器１００は自転も加わるので瞬時に下方に流下できる。
従って、被撹拌物質の撹拌力と脱泡力を向上させると共に、脱泡した気泡は中蓋１２０の小孔１２１から容器１００とねじ蓋１１０との間から放出することになる。
また、公転用電動機の回転数を約３０００ｒ．ｐ．ｍ．、自転用電動機の回転数をその約１／３以上に上げても被撹拌物質は容器から溢出する恐れがないため、被撹拌物質の種類によっては、真空雰囲気中で使用される遊星運動式真空撹拌脱泡装置を使用しなくて済む。
【産業上の利用可能性】
【０００８】
本発明容器は、構造簡単で製作しやすく量産可能である。
【図面の簡単な説明】
【０００９】
【図１】本発明容器の実施例を示す正面図である。
【図２】図１の平面図である。
【図３】図１の断面図である。
【図４】図１の中蓋の平面図である。
【図５】図１の容器を装備した遊星運動式撹拌脱泡装置の１例を示した説明図である。
【図６】被撹拌脱泡物質を収容した容器の遊星運動中の説明図である。
【符号の説明】
【００１０】
１００    容器
１０４    容器の内側壁
１１０    ねじ蓋
１２０    中蓋
１２１    中蓋の小孔
【図１】
2006326467.tif 000003
【図２】
2006326467.tif 000004
【図３】
2006326467.tif 000005
【図４】
2006326467.tif 000006
【図５】
2006326467.tif 000007
【図６】
2006326467.tif 000008